(57)【要約】【課題】カウンタを小さくさせ、システムキッチンへの組み付けを容易にさせるとともに、機能機器を自由に配置することを可能にさせ、機能機器の高さを自由に設定することを可能にさせることを課題とする。【解決手段】水廻り用または加熱調理用の機器１２，３２をそれぞれキャビネット１４，３４内に収容していずれも単独で床上に直接自立する機能設備１０，３０と、当該機能設備の少なくとも一つに対して、水平方向に位置をずらして当該機能設備の全周を囲むことなく取り付けられたカウンタ２０，４０，５０とを設けた。連結カウンタ５０は、複数の機能設備１０，３０の間に取り付けられて当該複数の機能設備を連結している。縁台カウンタ２０，４０よりも下側で複数の機能設備１０，３０に対して上下に重なることなく水平方向に位置をずらして下側カウンタ３８０を取り付けてもよい。【選択図】図１
2006223643.tif 000002
【特許請求の範囲】
【請求項１】
水廻り用または加熱調理用の機器をそれぞれキャビネット内に収容していずれも単独で床上に直接自立する複数の機能設備と、上記機能設備の少なくとも一つに対して、水平方向に位置をずらして当該機能設備の全周を囲むことなく取り付けられたカウンタとを備えることを特徴とするシステムキッチン。
【請求項２】
上記カウンタが複数の上記機能設備の間に取り付けられて当該複数の機能設備を連結していることを特徴とする請求項１に記載のシステムキッチン。
【請求項３】
上記キャビネットは、背面を形成する背面板と両側面を形成する一対の側面板とを少なくとも有し、上記カウンタは、上記複数の機能設備に対して上下に重なることなく水平方向に位置をずらして当該複数の機能設備において上記キャビネットの側面どうしを連結して固定していることを特徴とする請求項２に記載のシステムキッチン。
【請求項４】
上記キャビネットは、背面を形成する背面板と両側面を形成する一対の側面板とを少なくとも有し、上記カウンタは、上記機能設備に対して水平方向において上記機器の操作部の後側から左右の縁部となる位置に取り付けられていることを特徴とする請求項１に記載のシステムキッチン。
【請求項５】
複数の上記機能設備が左右に隣接して並べられるとともに、上記カウンタは、上記複数の機能設備に対して上方で一部重なりながら水平方向において上記機器の各操作部の後側から左右の縁部となる位置に取り付けられ、かつ、隣り合う上記機能設備の境界部の上方で当該隣り合う機能設備の両方に取り付けられて固定されていることを特徴とする請求項４に記載のシステムキッチン。
【請求項６】
上記カウンタには、上記複数の機能設備の間に取り付けられて当該複数の機能設備を連結している連結カウンタと、上記複数の機能設備の少なくとも一つに対して水平方向において上記機器の操作部の後側から左右の縁部となる位置に取り付けられた縁台カウンタとが含まれることを特徴とする請求項４または請求項５に記載のシステムキッチン。
【請求項７】
上記機能設備に対して水平方向において上記機器の操作部の後側から左右の縁部となる位置に取り付けられたカウンタは、上記機器設備に対して上方で一部重なりながら取り付けられていることを特徴とする請求項４〜請求項６のいずれかに記載のシステムキッチン。
【請求項８】
上記カウンタには、上記機能設備に対して水平方向において上記機器の操作部の後側から左右の縁部となる位置に取り付けられた縁台カウンタと、この縁台カウンタよりも下側で上記複数の機能設備に対して上下に重なることなく水平方向に位置をずらして取り付けられた下側カウンタとが含まれることを特徴とする請求項４〜請求項７のいずれかに記載のシステムキッチン。
【請求項９】
複数の上記機能設備が左右に隣接して並べられるとともに、上記カウンタは、上記隣接して並べられた複数の機能設備全体に対して上下に重なることなく水平方向に位置をずらして上記キャビネットの後側から左右を囲む位置に取り付けられていることを特徴とする請求項１に記載のシステムキッチン。
【請求項１０】
上記機能設備のキャビネットに上記カウンタを引き抜き可能に挿入して取り付け可能な保持部が形成されるとともに、当該保持部に、形状の異なる複数のカウンタが選択的に挿入されて取り付けられることを特徴とする請求項１〜請求項９のいずれかに記載のシステムキッチン。
【請求項１１】
水廻り用または加熱調理用の機器をキャビネット内に収容して単独で床上に直接自立する機能設備と、この機能設備に対して水平方向に位置をずらして当該機能設備の全周を囲むことなく水平方向において上記水廻り用または加熱調理用の機器の操作部の後側から左右の縁部となる位置に取り付けられた縁台カウンタと、この縁台カウンタよりも下側で上記機能設備に対して上下に重なることなく水平方向に位置をずらして当該機能設備の全周を囲むことなく取り付けられた下側カウンタとを備えることを特徴とするシステムキッチン。
【発明の詳細な説明】
【技術分野】
【０００１】
本発明は、水廻り用機器や加熱調理用機器を備えるシステムキッチンに関する。
【背景技術】
【０００２】
従来、カウンタに水廻り用の機器や加熱調理用の機器を組み込んで（ビルトインして）、システムキッチンを構成している。
【０００３】
また、特許文献１に記載されるように、料理を作るカウンタと補助の電磁調理器とを有し、一体の回転リングをユニット器具収納体の円柱状本体の上部に嵌めることにより、このユニット器具収納体の円柱状本体に対して移動自在即ち３６０°回転自在に配置された移動体を備えるシステム家具が知られている。更に、特許文献２に記載されるように、収納部ユニット上に、流し台ユニットと、調理台ユニットと、レンジ台ユニットとを設けた台所キャビネットが知られている。
【特許文献１】特開平５−２８５０１８号公報
【特許文献２】実開平５−７２２３６号公報
【発明の開示】
【発明が解決しようとする課題】
【０００４】
しかしながら、カウンタに機能機器を組み込んだシステムキッチンでは、カウンタが大きいため、システムキッチンの組み付け時にカウンタのハンドリング性が悪いという問題がある。また、機能機器の配置がカウンタの下側の範囲内に限られるため、機能機器の配置や高さの設定の自由度が乏しかった。
【０００５】
また、特許文献１や特許文献２記載の技術でも、移動体や収納部ユニットが大きく、システムキッチンの組み付け時における移動体等のハンドリングの点で問題がある。また、機能機器の配置や高さの設定の自由度という点においても十分とはいえない。
【０００６】
本発明は、上記課題にかんがみてなされたもので、システムキッチンへの組み付けを容易にさせるとともに、機能機器の配置や高さの設定の自由度を向上させることを目的とする。
【課題を解決するための手段】
【０００７】
上記目的を達成するため、本発明のシステムキッチンは、水廻り用または加熱調理用の機器をそれぞれキャビネット内に収容していずれも単独で床上に直接自立する複数の機能設備と、上記機能設備の少なくとも一つに対して、水平方向に位置をずらして当該機能設備の全周を囲むことなく取り付けられたカウンタとを備えることを特徴とする。
すなわち、各機能設備は、いずれも単独で床上に直接自立する。そして、機能設備の少なくとも一つに対して、水平方向に位置をずらして当該機能設備の全周を囲むことなくカウンタが取り付けられるので、カウンタを小さくさせることができる。従って、カウンタのハンドリング性が向上し、システムキッチンへの組み付けが容易になる。また、機能機器の配置がカウンタの下側の範囲内に限られないため、機能機器を自由に配置することが可能となり、機能機器の高さを自由に設定することが可能となる。その結果、カウンタの大きさや形状、高さを自由に設定することが可能となり、キッチン空間を自由にプランすることが可能となる。
【０００８】
上記機能設備に取り付けられるカウンタは、水平方向に対して完全に位置をずらして取り付けられてもよいし、機能設備と一部上下に重なって取り付けられてもよい。ここで、機能設備の全周を囲むことなく取り付けられることには、機能設備の側面の一つにのみ取り付けられることや、機能設備の三方を囲んで取り付けられることを含む。
【０００９】
上記カウンタが複数の上記機能設備の間に取り付けられて当該複数の機能設備を連結していると、複数の機能設備をカウンタで連結するだけでシステムキッチンを組み上げることができる。
【００１０】
上記キャビネットは、背面を形成する背面板と両側面を形成する一対の側面板とを少なくとも有し、上記カウンタは、上記複数の機能設備に対して上下に重なることなく水平方向に位置をずらして当該複数の機能設備において上記キャビネットの側面どうしを連結して固定している構成としてもよい。すると、複数の機能設備におけるキャビネットの側面どうしを連結して固定するだけで当該複数の機能設備の位置関係が定まる。
【００１１】
また、上記カウンタは、上記機能設備に対して水平方向において上記機器の操作部の後側から左右の縁部となる位置に取り付けられている構成としてもよい。すると、機能機器の操作部の前側にはカウンタが取り付けられず、機能機器の操作部の周りにカウンタが取り付けられているので、水廻りの作業や加熱調理の作業をしやすくなり、利便性が向上する。
【００１２】
複数の上記機能設備が左右に隣接して並べられるとともに、上記カウンタは、上記複数の機能設備に対して上方で一部重なりながら水平方向において上記機器の各操作部の後側から左右の縁部となる位置に取り付けられ、かつ、隣り合う上記機能設備の境界部の上方で当該隣り合う機能設備の両方に取り付けられて固定されている構成としてもよい。すると、隣り合う機能設備どうしは、カウンタの取付により位置関係が定まる。また、左右に隣接する機能設備の境界部の上方にカウンタがあるので、水廻りの作業や加熱調理の作業をしやすくなる。
【００１３】
上記カウンタには、上記複数の機能設備の間に取り付けられて当該複数の機能設備を連結している連結カウンタと、上記複数の機能設備の少なくとも一つに対して水平方向において上記機器の操作部の後側から左右の縁部となる位置に取り付けられた縁台カウンタとが含まれる構成としてもよい。すると、さらに水廻りの作業や加熱調理の作業をしやすくなる。
【００１４】
上記機能設備に対して水平方向において上記機器の操作部の後側から左右の縁部となる位置に取り付けられたカウンタは、上記機器設備に対して上方で一部重なりながら取り付けられている構成としてもよい。すると、さらに水廻りの作業や加熱調理の作業をしやすくなる。
【００１５】
上記カウンタには、上記機能設備に対して水平方向において上記機器の操作部の後側から左右の縁部となる位置に取り付けられた縁台カウンタと、この縁台カウンタよりも下側で上記複数の機能設備に対して上下に重なることなく水平方向に位置をずらして取り付けられた下側カウンタとが含まれる構成としてもよい。すると、さらに水廻りの作業や加熱調理の作業をしやすくなる。
【００１６】
複数の上記機能設備が左右に隣接して並べられるとともに、上記カウンタは、上記隣接して並べられた複数の機能設備全体に対して上下に重なることなく水平方向に位置をずらして上記キャビネットの後側から左右を囲む位置に取り付けられている構成としてもよい。すると、隣り合う機能設備どうしは、カウンタの取付により左右から挟まれる。また、機能機器の周りにカウンタが取り付けられているので、水廻りの作業や加熱調理の作業をしやすくなる。
【００１７】
上記機能設備のキャビネットに上記カウンタを引き抜き可能に挿入して取り付け可能な保持部が形成されるとともに、当該保持部に、形状の異なる複数のカウンタが選択的に挿入されて取り付けられる構成としてもよい。すると、容易にシステムキッチンのデザインを変更することができる。
【発明の効果】
【００１８】
以上説明したように、請求項１にかかる発明によれば、カウンタを小さくさせ、システムキッチンへの組み付けを容易にさせるとともに、機能機器を自由に配置することを可能にさせ、機能機器の高さを自由に設定することを可能にさせることが可能となる。
請求項２にかかる発明では、複数の機能設備をカウンタで連結するだけでシステムキッチンを組み上げることができるので、システムキッチンを形成することを容易にさせることができる。
請求項３にかかる発明では、複数の機能設備におけるキャビネットの側面どうしを連結して固定するだけで当該複数の機能設備の位置関係が定まるので、システムキッチンを組み上げることを容易にさせることができる。
【００１９】
請求項４にかかる発明では、水廻りの作業や加熱調理の作業をしやすくなるので、利便性を向上させることができる。
請求項５にかかる発明では、隣り合う機能設備どうしはカウンタの取付により位置関係が定まるので、システムキッチンを組み上げることを容易にさせることができる。また、水廻りの作業や加熱調理の作業をしやすくなり、利便性を向上させることができる。
請求項６〜請求項８にかかる発明では、さらに水廻りの作業や加熱調理の作業をしやすくなり、利便性を向上させることができる。
【００２０】
請求項９にかかる発明では、隣り合う機能設備どうしはカウンタの取付により左右から挟まれるので、システムキッチンを組み上げるのが容易になる。また、水廻りの作業や加熱調理の作業をしやすくなるので、利便性を向上させることができる。
請求項１０にかかる発明では、容易にシステムキッチンのデザインを変えることができるので、利便性を向上させることができる。
請求項１１にかかる発明では、カウンタを小さくさせ、システムキッチンへの組み付けを容易にさせるとともに、機能機器を自由に配置することを可能にさせ、機能機器の高さを自由に設定することを可能にさせ、さらに、水廻りの作業や加熱調理の作業をしやすくなり、利便性を向上させることが可能となる。
【発明を実施するための最良の形態】
【００２１】
以下、下記の順序に従って本発明の実施形態を説明する。
（１）第一の実施形態：
（２）第二の実施形態：
（３）第三の実施形態：
【００２２】
（１）第一の実施形態：
図１は本発明の第一の実施形態にかかるシステムキッチン１００の外観を前面側から見て示す斜視図であり、図２は本システムキッチン１００の外観を背面側から見て示す斜視図である。図３はシステムキッチン１００を構成する縁台（縁台カウンタ）２０付き火廻りコア（機能設備）１０を前面側から見て示す前面図であり、図４はシステムキッチン１００を構成する縁台（縁台カウンタ）４０付き水廻りコア（機能設備）３０を前面側から見て示す前面図である。図５は、本実施形態のシステムキッチン１００を従来のシステムキッチン１と比較して示す斜視図である。なお、図１を基準として、上下前後左右の位置関係を説明する。
本システムキッチン１００は、水廻り用または加熱調理用の機器１２，３２（以下、機能機器とも記載）をそれぞれキャビネット１４，３４内に収容していずれも単独で床上に直接自立する機能設備１０，３０と、当該機能設備の少なくとも一つに対して、水平方向に位置をずらして当該機能設備の全周を囲むことなく取り付けられたカウンタ２０，４０，５０とを備えている。ここで、機能機器が自立するとは、倒れないように直立した状態を保つことをいう。
【００２３】
縁台付き火廻りコアのキャビネット１４は、背面を形成する略長方形の板状の背面板１４ａと、この背面板の左右縁部から前方に向かってねじ等により取り付けられて左右の両側面を形成する略長方形の板状の左側面板１４ｂおよび右側面板１４ｃと、を少なくとも有して形成されている。縁台付き水廻りコアのキャビネット３４は、背面を形成する略長方形の板状の背面板３４ａと、左右の両側面を形成する略長方形の板状の左側面板３４ｂおよび右側面板３４ｃと、を少なくとも有して形成されている。各板１４ａ〜ｃ，３４ａ〜ｃは、機能設備１０，３０を床上に自立させるための脚を構成している。
図示の火廻りコアでは背面板１４ａおよび一対の側面板１４ｂ，ｃでキャビネット１４を構成し、水廻りコアでは背面板３４ａおよび一対の側面板３４ｂ，ｃでキャビネット１４を構成しているが、これらの板１４ａ〜ｃ，３４ａ〜ｃに底面板や前面板や上面板の少なくとも一つを加えてキャビネット１４，３４を構成してもよいし、背面板や側面板の一部を用いずにキャビネット１４，３４を構成してもよい。加熱調理用の機能機器１２は板１４ａ〜ｃに一部を囲まれてキャビネット１４の上部に収容され、水廻り用の機能機器３２は板３４ａ〜ｃに一部を囲まれてキャビネット１４の上部に収容されている。
【００２４】
加熱調理用機器１２の操作部１２ａは、上面にＩＨ（電磁調理器）等の加熱調理器１２ｂを複数有するとともに、前面にグリル等の加熱調理器１２ｃやこれらの加熱調理器１２ｂ，ｃの電源オンオフや熱量を調整するための操作つまみ１２ｄを複数有している。そして、キャビネット１４は、これらの各部１２ｂ〜ｄが外面に現れるように、上部に機能機器１２の操作部１２ａが表出する形状に形成されている。
水廻り用機器３２の操作部３２ａは、水洗い等をするためのシンク３２ｂや、水道水を吐出するための蛇口３２ｃを有している。そして、キャビネット３４は、これらの各部３２ｂ，ｃが外面に現れるように、上部に機能機器３２の操作部３２ａが表出する形状に形成されている。
【００２５】
縁台２０，４０は、上側から見て前側を開口部とした略コ字形に形成されている。火廻りコア用の縁台２０は、背面板１４ａおよび側面板１４ｂ，ｃの上側縁部に対して当該上側縁部に下面を当接させながらねじ等で位置決めされて水平に配置され、火廻りコア１０に対して水平方向において加熱調理用機器の操作部１２ａの後側から左右の縁部となる位置に取り付けられて固定されている。水廻りコア用の縁台４０は、背面板３４ａおよび側面板３４ｂ，ｃの上側縁部に対して当該上側縁部に下面を当接させながらねじ等で位置決めされて水平に配置され、水廻りコア３０に対して水平方向において水廻り用機器の操作部３２ａの後側から左右の縁部となる位置に取り付けられて固定されている。すなわち、縁台２０，４０は、機能設備１０，３０に対して水平方向に位置をずらして当該機能設備の全周を囲むことなく取り付けられる。機能機器の操作部１２ａ，３２ａの前側にはカウンタが取り付けられず、機能機器の操作部１２ａ，３２ａの周りにカウンタ２０，４０が取り付けられているので、加熱調理の作業や水廻りの作業をしやすくなり、利便性を向上させることができる。また、図３と図４に示すように、縁台２０，４０は、コア１０，３０に対して上方で一部重なる領域Ｒ１，Ｒ２が存在するように配置されている。すなわち、カウンタ２０，４０は、機器設備１０，３０に対して上方で一部重なりながら取り付けられている。これにより、さらに水廻りの作業や加熱調理の作業をしやすくなり、利便性を向上させることができる。
【００２６】
連結カウンタ５０は、水平に配置されて上面を形成する略長方形状の上面板５４ａと、この上面板の左右縁部から下方に向かってねじ等により取り付けられて左右の両側面を形成する略長方形状の左側面板５４ｂおよび右側面板５４ｃと、を少なくとも有して形成されている。また、一対の側面板５４ｂ，ｃは、連結カウンタ５０を床上に自立させるための脚を構成している。なお、図示の連結カウンタでは上面板５４ａおよび一対の側面板５４ｂ，ｃでカウンタを構成しているが、これらの板５４ａ〜ｃに底面板や前面板や背面板の少なくとも一つを加えてカウンタ５０を構成してもよいし、側面板の一部を用いずにカウンタ５０を構成してもよい。
【００２７】
左側面板５４ｂと火廻りコアの右側面板１４ｃとは、ねじ５８により着脱可能に取り付けられて固定されている。一方、右側面板５４ｃと水廻りコアの左側面板１４ｂとは、ねじ５９により着脱可能に取り付けられて固定されている。従って、連結カウンタ５０は、複数の機能設備１０，３０の間に取り付けられて当該複数の機能設備を連結している。また、連結カウンタ５０は、複数の機能設備１０，３０に対して上下に重なることなく水平方向に位置をずらして全周を囲むことなく当該複数の機能設備においてキャビネット１４，３４の側面どうしを連結して固定している。以上の構成により、複数の機能設備をカウンタで連結するだけでシステムキッチンを組み上げることができるので、システムキッチンを形成することを容易にさせることができる。また、キャビネットの側面どうしを連結して固定するだけで複数の機能設備の位置関係が定まるので、システムキッチンを組み上げることを容易にさせることができる。なお、縁台２０，４０よりも下側において当該縁台２０，４０と一部重なりながら水平方向に位置をずらして連結カウンタ５０が機能設備１０，３０に取り付けられているので、水廻りの作業や加熱調理の作業をしやすくなり、利便性を向上させることができる。
【００２８】
本システムキッチン１００を形成するには、以下のようにすればよい。
火廻りコア１０については、各板１４ａ〜ｃを形成し、組み合わせてねじ等により固定してキャビネット１４を形成して、加熱調理用機器１２をキャビネット内に収容する。すると、火廻りコア１０は、各板１４ａ〜ｃの下側縁部を床面に当接させて、単独で床面上に自立する。そして、各板１４ａ〜ｃの上側縁部に縁台２０を接着等により取り付けて固定すればよい。水廻りコア３０については、各板３４ａ〜ｃを形成し、組み合わせてねじ等により固定してキャビネット３４を形成して、水廻り用機器３２をキャビネット内に収容する。すると、水廻りコア１０は、各板３４ａ〜ｃの下側縁部を床面に当接させて、単独で床面上に自立する。そして、各板３４ａ〜ｃの上側縁部に縁台４０を接着等により取り付けて固定すればよい。連結カウンタ５０については、各板５４ａ〜ｃを形成し、組み合わせてねじ等により固定すればよい。すると、連結カウンタ５０は、側面板５４ｂ，ｃの下側縁部を床面に当接させて、単独で床面上に自立する。
【００２９】
そして、火廻りコアのキャビネット１４の右側面と連結カウンタ５０の左側面とをねじ等により互いに取り付けて固定し、水廻りコアのキャビネット３４の左側面と連結カウンタ５０の右側面とをねじ等により互いに取り付けて固定する。すると、単独で自立する機能設備どうしを連結カウンタで連結したシステムキッチン１００が形成される。ここで、火廻りコアに設けられた縁台２０は加熱調理前後の食材や食器を載置する等の調理台として使用することができ、水廻りコアに設けられた縁台４０は水洗い前後の食材や食器を載置する等の調理台として使用することができ、連結カウンタ５０は食材や食器を載置する等の調理台の他に食事をするための食事台としても使用することができる。
【００３０】
本発明のシステムキッチンでは、機能設備の少なくとも一つに対して、水平方向に位置をずらして当該機能設備の全周を囲むことなくカウンタが取り付けられる。従って、図５に示すように、カウンタ２の下に機能機器３，４を組み込んでいた従来と比べて、上下に重なっていた部分にカウンタを形成する必要がなくなるため、カウンタを小さくさせることができる。従って、カウンタのハンドリングが向上し、システムキッチンへの組み付けが容易になる。また、火廻り用の機能機器や水廻り用の機能機器の配置がカウンタの下側の範囲内に限られないため、これらの機能機器を自由に配置することが可能となり、機能機器の高さを自由に設定することが可能となる。その結果、カウンタの大きさや形状、高さを自由に設定することが可能となり、キッチン空間を自由にプランすることが可能となる。
【００３１】
なお、キャビネット１４，３４に前面板と底面板とを設け、キャビネットを略箱形の形状から上部に水廻り用または加熱調理用の機器の操作部が表出する形状に形成してもよい。ここで、前面板を前方へ開放可能に開閉可能としておけば、キャビネットを収納スペースとして利用することができ、利便性が向上する。また、水廻り用の機器は、給排水用機器のみならず、排水用機器であってもよい。更に、給水用機器のみを収容した水廻りコアと、排水用機器のみを収容した水廻りコアとの両方を使用してシステムキッチンを構成してもよい。
加熱調理用の機器は、電磁調理器（ＩＨ）のみならず、電気調理器、ガス調理器、炭火焼き機器等であってもよく、これらの中から複数種類の加熱調理用機器を収容して火廻りコアを構成してもよい。複数種類の加熱調理用機器を用いる場合、火廻りコアを複数設けてもよい。むろん、複数種類の水廻り用機器を用いる場合、水廻りコアを複数設けてもよい。さらに、連結カウンタが３以上の機能設備の間に取り付けられて当該３以上の機能設備を連結するように構成してもよい。
【００３２】
図６と図７に示すシステムキッチン１０２のように、連結カウンタ６２を上側から見て略長方形状の板状部材のみで構成し、機能設備のキャビネット１４，３４にカウンタ６２を引き抜き可能に挿入して取り付け可能な保持部６５，６７を形成してもよい。本変形例において、縁台２０は火廻りコア１０に対して水平方向において加熱調理用機器の操作部１２ａの後側から左側の縁部となる位置に取り付け、縁台４０は水廻りコア３０に対して水平方向において水廻り用機器の操作部３２ａの後側から右側の縁部となる位置に取り付けてある。
【００３３】
本変形例において、火廻りコアのキャビネット１４は背面板１４ａと左側面板１４ｂと右側面板６４とから構成され、水廻りコアのキャビネット３４は背面板３４ａと左側面板６６と右側面板３４ｃとから構成されている。火廻りコア用の右側面板６４には、上側を開放して連結カウンタ６２の左下方延出部６３ａを挿入可能な溝６４ａが前後方向に向けて形成されるとともに、当該溝６４ａの左右両側で上方に延出した内側上方延出部６４ｂおよび外側上方延出部６４ｃが前後方向に向けて形成されている。ここで、外側上方延出部６４ｃは、連結カウンタ６２の左側の溝６２ａの深さＬ１分だけ低くされている。水廻りコア用の左側面板６６には、上側を開放して連結カウンタ６２の右下方延出部６３ｂを挿入可能な溝６６ａが前後方向に向けて形成されるとともに、当該溝６６ａの左右両側で上方に延出した外側上方延出部６６ｃおよび内側上方延出部６６ｂが前後方向に向けて形成されている。ここで、外側上方延出部６６ｃは、連結カウンタ６２の右側の溝６２ｂの深さＬ２（＝Ｌ１）分だけ低くされている。連結カウンタ６２の下面の左右縁部には、前後方向に向けて溝６２ａ，ｂが形成され、当該溝６２ａ，ｂの左右外側において下方に延出した左下方延出部６３ａおよび右下方延出部６３ｂが形成されている。本発明にいう保持部６５，６７は、火廻りコアの側面板６４に形成された各部６４ａ〜ｃおよび水廻りコアの側面板６６に形成された各部６６ａ〜ｃで構成されている。
【００３４】
図７に示すように、連結カウンタの下方延出部６３ａ，ｂを側面板の溝６４ｂ，６６ａに挿入させながら連結カウンタ６２を後方へスライドさせると、連結カウンタ６２は、下面の左右縁部を側面板６４，６６に支持されながらキャビネット１４，３４に取り付けられる。また、取り付けられた連結カウンタ６２を前方へスライドさせると、キャビネット１４，３４から引き抜いて取り外すことができる。このように、連結カウンタが機能設備に対して引き抜き可能に挿入して取り付けられるので、システムキッチンを組み上げることを容易にさせることができる。
【００３５】
その結果、図８に示すように、形状の異なるカウンタ６２’についても保持部６５，６７に対して引き抜き可能に挿入して取り付け可能な形状に形成しておけば、保持部６５，６７に形状の異なる複数のカウンタ６２，６２’を選択的に挿入して取り付けることができ、容易にシステムキッチンのデザインを変えることができる。なお、連結カウンタを、機能設備に対して左右方向、上下方向、斜め方向に引き抜き可能に挿入して取り付ける構成にしてもよい。
【００３６】
また、機能設備どうしを連結する方向（左右方向）の長さＬ１１（図７参照）を変更することにより、連結される機能設備の間の距離を調節することができ、この点でも容易にシステムキッチンのデザインを変えることができ、利便性が向上する。従って、図９に示すように、左右方向の長さＬ１１を変更可能な連結カウンタ６８を用いると、連結される機能設備の間を所望の距離にさせることができる。本変形例の連結カウンタ６８は、火廻りコア１０の保持部６５に対して引き抜き可能に挿入して取付可能な第一の端部分割カウンタ６８ａと、水廻りコア３０の保持部６７に対して引き抜き可能に挿入して取付可能な第二の端部分割カウンタ６８ｂと、第一・第二の端部分割カウンタ６８ａ，ｂの間で当該第一・第二の端部分割カウンタの両方に対して引き抜き可能に挿入して取付可能な中間分割カウンタ６８ｃとを備えている。図示の連結カウンタでは、第一の端部分割カウンタ６８ａおよび中間分割カウンタ６８ｃの右端部に、第二の端部分割カウンタ６８ｂおよび中間分割カウンタ６８ｃの左端部に形成された溝６８ｂ１，６８ｃ１に対して前後方向に引き抜き可能に挿入可能な凸部６８ａ２，６８ｃ２を形成してある。なお、図示の連結カウンタでは中間分割カウンタ６８ｃを２ピース設けているが、このような中間分割カウンタは、１ピースでもよいし、３ピース以上でもよい。本変形例では、単一の連結カウンタを用いてシステムキッチンのデザインを容易に変えることができ、利便性が向上する。また、各分割カウンタどうしを、互いに左右方向、上下方向、斜め方向に引き抜き可能に挿入して取り付ける構成にしてもよいし、機能設備どうしを連結する方向（左右方向）に対して連結カウンタ自体を伸縮可能な構成としても、同様の効果が得られる。なお、以上述べた各種変形例は、第二の実施形態以下でも同様に適用される。
【００３７】
（２）第二の実施形態：
図１０に示すように、縁台２０付き火廻りコア１０と、縁台４０付き水廻りコア３０とから、システムキッチン２００を構成してもよい。本システムキッチン２００は、機能機器１２，３２をそれぞれキャビネット１４，３４内に収容していずれも単独で床上に直接自立する機能設備１０，３０と、当該機能設備に対して、水平方向に位置をずらして当該機能設備の全周を囲むことなく取り付けられたカウンタ２０，４０とを備えている。すなわち、第一の実施形態から連結カウンタ５０を省略した構成としている。
【００３８】
縁台２０付き火廻りコア１０については、各板１４ａ〜ｃを形成し、組み合わせてねじ等により固定してキャビネット１４を形成して、加熱調理用機器１２をキャビネット内に収容し、各板１４ａ〜ｃの上側縁部に縁台２０を接着等により取り付けて固定することにより、形成される。縁台４０付き水廻りコア３０については、各板３４ａ〜ｃを形成し、組み合わせてねじ等により固定してキャビネット３４を形成して、水廻り用機器３２をキャビネット内に収容し、各板３４ａ〜ｃの上側縁部に縁台４０を接着等により取り付けて固定することにより、形成される。
【００３９】
以上の構成により、機能設備に対して、水平方向に位置をずらして当該機能設備の全周を囲むことなくカウンタが取り付けられる。従って、図５で示したように、カウンタ２の下に機能機器３，４を組み込んでいた従来と比べて、上下に重なっていた部分にカウンタを形成する必要がなくなるため、カウンタを小さくさせることができる。従って、カウンタのハンドリング性が向上し、システムキッチンへの組み付けが容易になる。また、火廻り用の機能機器や水廻り用の機能機器の配置がカウンタの下側の範囲内に限られないため、これらの機能機器を自由に配置することが可能となり、機能機器の高さを自由に設定することが可能となる。その結果、カウンタの大きさや形状、高さを自由に設定することが可能となり、キッチン空間を自由にプランすることが可能となる。
【００４０】
なお、図１１に示すように、複数の機能設備１０，３０を隣接して並べたシステムキッチン２０２を構成してもよい。本変形例の縁台（縁台カウンタ）２２０は、複数の機能設備１０，３０に対して上方で一部重なりながら水平方向において機能機器１２，３２の各操作部１２ａ，３２ａの後側から左右の縁部となる位置に取り付けられている。同縁台２２０は、上側から見て前側を二つの開口部とした略Ｅ字状に形成されている。前方へ延出した三つの前方延出部２２１〜２２３のうち中央の前方延出部２２２は、隣り合う機能設備１０，３０の境界部ＢＯ１の上方となる位置に形成されている。そして、縁台２２０は、隣り合う機能設備１０，３０の境界部ＢＯ１の上方で当該隣り合う機能設備の両方に取り付けられて固定される。
【００４１】
各機能機器１０，３０を形成すると、両機能機器１０，３０を左右に隣接して並べ、各板１４ａ〜ｃ，３４ａ〜ｃの上側縁部に縁台２２０を接着等により取り付けて固定することにより、形成される。以上の構成によっても、機能設備に対して、水平方向に位置をずらして当該機能設備の全周を囲むことなくカウンタが取り付けられる。従って、上下に重なっていた部分にカウンタを形成する必要がなくなるため、カウンタを小さくさせることができる。従って、システムキッチン２００と同様の効果が得られる他、隣り合う機能設備どうしはカウンタの取付により位置関係が定まるので、システムキッチンを組み上げることを容易にさせることができる。さらに、水廻りの作業や加熱調理の作業をしやすくなり、利便性を向上させることができる。
【００４２】
また、図１２に示すように、機能設備１０，３０を隣接して並べて縁台２２０を設けた構成に、第一の実施形態の連結カウンタ５０と同様の板５４ａ〜ｃを有する単独のカウンタ２５０を付加してシステムキッチン２０４を構成してもよい。本システムキッチンでも、隣り合う機能設備どうしはカウンタの取付により位置関係が定まるのでシステムキッチンへの組み付けが容易になる等、システムキッチン２０２と同様の効果が得られる。
【００４３】
（３）第三の実施形態：
図１３に示すように、水廻り用または加熱調理用の機器１２をキャビネット１４内に収容して単独で床上に直接自立する機能設備１０と、この機能設備に対して水平方向に位置をずらして当該機能設備の全周を囲むことなく取り付けられた複数のカウンタ２０，３５０とから、システムキッチン３００を構成してもよい。ここで、カウンタの一つである縁台（縁台カウンタ）２０は、第一の実施形態と同じく、火廻りコア１０に対して水平方向に位置をずらして当該火廻りコアの全周を囲むことなく水平方向において加熱調理用機器１２の操作部１２ａの後側から左右の縁部となる位置に取り付けられている。また、縁台２０とは別のカウンタである下側カウンタ３５０は、縁台２０よりも下側で火廻りコア１０に対して上下に重なることなく水平方向に位置をずらして当該火廻りコアの全周を囲むことなく取り付けられている。
【００４４】
下側カウンタ３５０は、上面を形成する上面板３５４ａと、この上面板の下方に向かってねじ等により取り付けられる脚３５４ｂと、を少なくとも有して形成されている。また、上面板３５４ａは、上側から見て火廻りコア１０の部分を除いて略円形に形成され、上面に食材や食器等を載置可能である。脚３５４ｂは、上側から見て火廻りコア１０の部分を除いて略円筒形状に形成され、キャビネット１４に対してねじ等により取り付けられるとともに、自ら床上に自立して上面板３５４ａを下から支持する。これにより、下側カウンタ３５０は単独でも倒れないよう床上に自立可能とされているが、火廻りコア１０に取り付けられることによって、さらに安定して自立する。
【００４５】
なお、水廻り用機器については、適宜配置すればよく、例えば、図１４に示すように、縁台を設けていない水廻りコア３０を近隣に配置したシステムキッチン３０２を構成してもよい。また、水廻りコアに対してもシステムキッチン３００と同様の縁台カウンタと下側カウンタとを取り付けてシステムキッチンを構成してもよい。
【００４６】
以上の構成によっても、上記と同様の効果を得ることができる。
【００４７】
なお、図１５に示すように、下側カウンタの上面板３５４ａに水廻り用機器３５２を取り付けてもよい。すると、水廻りの作業をしやすくなり、利便性が向上する。特に、火廻りコアに取り付けられる下側カウンタに水廻り用機器を設けると、調理の作業性を飛躍的に向上させることができる。
【００４８】
また、図１６に示すように、複数の機能設備１０，３０を隣接して並べたシステムキッチン３０４を構成してもよい。本変形例の縁台（縁台カウンタ）３２０は、複数の機能設備１０，３０に対して上方で一部重なりながら水平方向において機能機器１２，３２の各操作部１２ａ，３２ａの後側から左右の縁部となる位置に取り付けられている。同縁台２２０は、上側から見て前側を二つの開口部とした略Ｅ字状に形成されている。前方へ延出した三つの前方延出部３２１〜３２３のうち中央の前方延出部３２２は、隣り合う機能設備１０，３０の境界部ＢＯ２の上方となる位置に形成されている。そして、縁台３２０は、隣り合う機能設備１０，３０の境界部ＢＯ２の上方で当該隣り合う機能設備の両方に取り付けられて固定される。
【００４９】
本変形例の下側カウンタ３６０は、縁台３２０よりも下側で火廻りコア１０に対して上下に重なることなく水平方向に位置をずらして当該火廻りコアの全周を囲むことなく取り付けられている。下側カウンタ３６０の上面板３６４ａは、上側から見て火廻りコア１０の部分を除いて略楕円形に形成され、上面に食材や食器等を載置可能である。下側カウンタ３６０の脚３６４ｂは、上側から見て火廻りコア１０の部分を除いて筒形状に形成され、キャビネット１４に対してねじ等により取り付けられるとともに、自ら床上に自立して上面板３６４ａを下から支持する。以上の構成によれば、上記と同様の効果に加え、隣り合う機能設備どうしはカウンタの取付により位置関係が定まるので、システムキッチンを組み上げることを容易にさせることができる。
【００５０】
さらに、図１７に示すように、隣接して並べられた複数の機能設備１０，３０全体に対して上下に重なることなく水平方向に位置をずらしてキャビネット３１４，３３４の後側から左右を囲む位置に、下側カウンタ３７０を取り付けた、システムキッチン３０６を構成してもよい。本変形例において、火廻りコア１０のキャビネット３１４は、いずれも外面に溝ＤＩ１が形成された背面板３１４ａと左側面板３１４ｂと右側面板３１４ｃとから構成されている。また、水廻りコア３０のキャビネット３３４は、いずれも外面に溝ＤＩ１が形成された背面板３３４ａと左側面板３３４ｂと右側面板３３４ｃとから構成されている。
【００５１】
一方、下側カウンタ３７０は、上側から見て切欠部ＣＵ１を除いて略楕円形の板状に形成された単独の板状部材とされている。切欠部ＣＵ１は、上記溝ＤＩ１の形状に合わせて切り欠いた形状に形成されている。切欠部ＣＵ１において相対向する一対の対向面部３７０ｂ，ｃを側面板３１４ｂ，３３４ｃに形成された溝ＤＩ１へ水平方向前側にスライドさせると、切欠部ＣＵ１の基底部３７０ａが背面板３１４ａ，３３４ａに形成された溝ＤＩ１に挿入して当該溝ＤＩ１に当接するようになっている。
【００５２】
従って、図１８に示すように、両コア１０，３０を左右に隣接して並べた状態で、切欠部ＣＵ１を前側に向けて下側カウンタ３７０を溝ＤＩ１内へ水平方向前側にスライドさせると、縁台２２０の下側において機能設備１０，３０全体に対してキャビネット３１４，３３４の後側から左右を囲む位置に下側カウンタ３７０が取り付けられる。なお、下側カウンタが取り付けられたときに下側カウンタの脱落を防止する抜け止め機構をキャビネットと下側カウンタとの間に設けると、取り付けられた下側カウンタがキャビネットから外れて脱落しないので、好適である。以上の構成によれば、上述と同様の効果に加え、隣り合う機能設備どうしはカウンタの取付により左右から挟まれるので、システムキッチンを組み上げるのが容易になる。
【００５３】
さらに、図１９に示すように、縁台カウンタ２０，４０と、連結カウンタ５０と、下側カウンタ３８０とを有するシステムキッチン３０８を構成してもよい。本システムキッチン３０８は、第一の実施形態のシステムキッチン１００に、水廻り用機器３８２と上面板３８４ａと脚３６４ｂとを有する下側カウンタ３８０を付加した構成とされている。
【００５４】
なお、縁台カウンタ２０や連結カウンタ５０、キャビネット１４等の素材は特に限定されるものではなく、例えば、連結カウンタ５０等を人造大理石、或いはステンレス等の金属により構成したり、また、キャビネット１４等を木質素材、或いはステンレス等の金属により構成することができる。
以上説明したように、本発明によると、種々の態様により、有用なシステムキッチンを提供することが可能となる。
【図面の簡単な説明】
【００５５】
【図１】第一の実施形態のシステムキッチンを前面側から見て示す斜視図。
【図２】第一の実施形態のシステムキッチンを後面側から見て示す斜視図。
【図３】第一の実施形態の縁台カウンタ付き火廻りコアを示す前面図。
【図４】第一の実施形態の縁台カウンタ付き水廻りコアを示す前面図。
【図５】第一の実施形態のシステムキッチンを従来と比較して示す斜視図。
【図６】変形例のシステムキッチンを前面側から見て示す斜視図。
【図７】変形例のシステムキッチンを組み上げる様子を示す斜視図。
【図８】変形例のシステムキッチンにおいて連結カウンタを交換した様子を示す斜視図。
【図９】連結カウンタの変形例を示す斜視図。
【図１０】第二の実施形態のシステムキッチンを前面側から見て示す斜視図。
【図１１】変形例のシステムキッチンを前面側から見て示す斜視図。
【図１２】別の変形例のシステムキッチンを前面側から見て示す斜視図。
【図１３】第三の実施形態のシステムキッチンを前面側から見て示す斜視図。
【図１４】変形例のシステムキッチンを前面側から見て示す斜視図。
【図１５】別の変形例のシステムキッチンを前面側から見て示す斜視図。
【図１６】別の変形例のシステムキッチンを前面側から見て示す斜視図。
【図１７】別の変形例のシステムキッチンを前面側から見て示す斜視図。
【図１８】図１７に示すシステムキッチンを後面側から見て示す斜視図。
【図１９】別の変形例のシステムキッチンを前面側から見て示す斜視図。
【符号の説明】
【００５６】
１０…火廻りコア（機能設備）、
１２…加熱調理用の機器、
１２ａ…操作部、１２ｂ，ｃ…加熱調理器、１２ｄ…操作つまみ、
１４…キャビネット、１４ａ…背面板、１４ｂ，ｃ…側面板、
２０，４０，２２０，３２０…縁台（縁台カウンタ）、
３０…水廻りコア（機能設備）、
３２…水廻り用の機器、
３２ａ…操作部、３２ｂ…シンク、３２ｃ…蛇口、
３４…キャビネット、３４ａ…背面板、３４ｂ，ｃ…側面板、
５０，６２，６２’，６８…連結カウンタ、
５４ａ…上面板、５４ｂ，ｃ，６４，６６…側面板、
６５，６７…保持部、
６８ａ，ｂ…端部分割カウンタ、６８ｃ…中間分割カウンタ、
１００，１０２，２００，２０２，２０４，３００，３０２，３０４，３０６，３０８…システムキッチン、
２２１〜２２３，３２１〜３２３…前方延出部、
２５０…カウンタ、
３５０，３６０，３７０，３８０…下側カウンタ、
３５４ａ、３６４ａ，３８４ａ…上面板、
３５４ｂ，３６４ｂ，３８４ｂ…脚、
３７０ａ…基底部、３７０ｂ，ｃ…対向面部、
ＢＯ１，ＢＯ２…境界部、
ＣＵ１…切欠部、
ＤＩ１…溝
【図１】
2006223643.tif 000003
【図２】
2006223643.tif 000004
【図３】
2006223643.tif 000005
【図４】
2006223643.tif 000006
【図５】
2006223643.tif 000007
【図６】
2006223643.tif 000008
【図７】
2006223643.tif 000009
【図８】
2006223643.tif 000010
【図９】
2006223643.tif 000011
【図１０】
2006223643.tif 000012
【図１１】
2006223643.tif 000013
【図１２】
2006223643.tif 000014
【図１３】
2006223643.tif 000015
【図１４】
2006223643.tif 000016
【図１５】
2006223643.tif 000017
【図１６】
2006223643.tif 000018
【図１７】
2006223643.tif 000019
【図１８】
2006223643.tif 000020
【図１９】
2006223643.tif 000021